(57)【要約】【課題】本発明は、プラズマディスプレイ装置及びその駆動方法に関し、特に、表示品質の低下を伴わずに安定的に低電圧で高速アドレスを行うことができるプラズマディスプレイ装置及びその駆動方法に関する。【解決手段】本発明によるプラズマディスプレイ装置は、放電セルを含む表示パネルと、上記放電セルにリセット信号、アドレス信号及びスキャン信号を含む駆動信号を供給し、上記リセット信号を作成するスキャン駆動部を含む駆動部と、上記駆動部を制御する論理制御部とを含み、上記スキャン駆動部は下降ランプパルスとステップパルスを有する下降形パルスを含む上記リセット信号を供給し、上記論理制御部は、上記ステップパルスの生成のためのスイッチ制御信号を上記スキャン駆動部に提供することを特徴とする。【選択図】図２
2009145886.tif 000002
【特許請求の範囲】
【請求項１】
放電セルを含む表示パネルと、
上記放電セルにリセット信号、アドレス信号、及びスキャン信号を含む駆動信号を供給し、上記リセット信号を作成するスキャン駆動部を含む駆動部と、
上記駆動部を制御する論理制御部とを備え、
上記スキャン駆動部は、下降ランプパルスとステップパルスを有する下降形パルスを含む上記リセット信号を供給し、
上記論理制御部は、上記ステップパルスの生成のためのスイッチ制御信号を上記スキャン駆動部に供給することを特徴とするプラズマディスプレイ装置。
【請求項２】
上記リセット信号は、
セットアップ期間に印加される上昇ランプパルスと、シャットダウン期間に印加される上記下降形パルスを含むメインリセット信号であることを特徴とする請求項１に記載のプラズマディスプレイ装置。
【請求項３】
上記リセット信号は、
上記スキャン信号の印加後、上記スキャン信号のスキャン電圧から次第に下降する上記下降形パルスを含む補助リセット信号であることを特徴とする請求項１に記載のプラズマディスプレイ装置。
【請求項４】
上記下降形パルスは、
上記スキャン信号のスキャン電圧から上記下降ランプパルスが印加されて第１傾きで減少する第１区間及び上記第１区間と連続され、上記ステップパルスが印加されて第２傾きで減少する第２区間を有することを特徴とする請求項１に記載のプラズマディスプレイ装置。
【請求項５】
上記下降形パルスは、上記第１区間と上記第２区間にて異なる傾きを有することを特徴とする請求項４に記載のプラズマディスプレイ装置。
【請求項６】
上記スキャン駆動部は、
上記下降ランプパルスを供給する第１供給部と、
上記ステップパルスを供給する第２供給部とを備えることを特徴とする請求項１に記載のプラズマディスプレイ装置。
【請求項７】
上記第１供給部は、
第１電源と上記表示パネルの接続経路を提供する第１スイッチと、
上記下降ランプパルスを生成するように上記第１スイッチを制御する下降ランプパルス供給部を備えることを特徴とする請求項６に記載のプラズマディスプレイ装置。
【請求項８】
上記第２供給部は、
第１電源と上記表示パネルの接続経路を提供する第２スイッチと、
上記ステップパルスを生成するように上記第２スイッチのオン/オフを制御するステップパルス供給部とを備えることを特徴とする請求項６に記載のプラズマディスプレイ装置。
【請求項９】
上記第１電源は、上記スキャン電圧を印加することを特徴とする請求項７または請求項８に記載のプラズマディスプレイ装置。
【請求項１０】
リセット期間を有する駆動信号により駆動されるプラズマディスプレイ装置の駆動方法において、
第１電圧を供給する第１電圧供給段階と、
上記第１電圧から第１傾きで下降する下降ランプパルスを供給する段階と、
上記下降ランプパルスの供給中に第２傾きを有するステップパルスを供給する段階とを備えて構成されることを特徴とするプラズマディスプレイ装置の駆動方法。
【請求項１１】
上記第１電圧供給段階は、
上記第１電圧から、次第に上昇する上昇ランプ波形を印加する段階と、
上記上昇ランプ波形の尖頭電圧で上記第１電圧に復帰する復帰段階とをさらに備えることを特徴とする請求項１０に記載のプラズマディスプレイ装置の駆動方法。
【請求項１２】
上記第１電圧供給段階は、
上記駆動信号のうち、表示放電のためのサステイン信号の供給のために上記第１電圧を供給する段階と、
上記第１電圧を維持する段階をさらに備えることを特徴とする請求項１０に記載のプラズマディスプレイ装置の駆動方法。
【請求項１３】
上記ステップパルス供給段階は、
上記第２電圧を上記プラズマディスプレイ装置の表示パネルに供給する第２スイッチのオンオフ制御信号を作成する段階をさらに備えることを特徴とする請求項１１または請求項１２に記載のプラズマディスプレイ装置の駆動方法。
【請求項１４】
上記下降ランプパルス供給段階は、
上記第２電圧を上記表示パネルに供給する第１スイッチの制御信号作成段階をさらに備えることを特徴とする請求項１３に記載のプラズマディスプレイ装置の駆動方法。
【請求項１５】
上記ステップパルス供給段階は、
上記オンオフ制御信号のスイッチオン期間またはスイッチオフ期間を可変して、上記第２傾きを可変する傾き可変段階をさらに備えることを特徴とする請求項１４に記載のプラズマディスプレイ装置の駆動方法。
【請求項１６】
上記ステップパルスの最低電圧は、
上記第２電圧と同一であるか、または上記第２電圧より大きくなるように可変されることを特徴とする請求項１５に記載のプラズマディスプレイ装置の駆動方法。
【発明の詳細な説明】
【技術分野】
【０００１】
本発明は、プラズマディスプレイ装置及びその駆動方法に関し、特に、表示品質の低下なしに、安定的に低電圧で高速アドレスを行うことができるプラズマディスプレイ装置及びその駆動方法に関するものである。
【背景技術】
【０００２】
最近、種々のフラットパネルディスプレイ（Flat Display Device）が開発されており、現在その一部が市販されている。このようなフラットパネルディスプレイには、液晶表示装置、電界放出表示装置（Field Emission Display Device）、及びプラズマディスプレイ装置（Plasma Display Device）等がある。
【０００３】
この中でプラズマディスプレイ装置は、放電によりデジタルの画像を表示し、完全なデジタル化を実現することが可能であり、他のディスプレイ装置に比べて相対的に大画面の実現が容易である。
【０００４】
このようなプラズマディスプレイ装置は、２枚の基板の間に不活性気体を封止し、電圧を印加して放電を発生させることにより、紫外線を放出して可視光線を誘導する放電システムを用いた画像装置である。
【０００５】
このような放電原理を用いるためにプラズマディスプレイ装置は、一つのTVフィールドを複数のサブフィールドに分け、さらに、各サブフィールドを数個の区間に分けて駆動信号を供給する方法を使用している。その代表的な方法が、一つのサブフィールドをリセット区間、アドレス区間、及びサステイン区間に分ける方法である。リセット区間は、プラズマディスプレイ装置の表示パネルに形成された放電セルの状態を初期化する区間である。そして、初期化された放電セルは、アドレス区間で表示または非表示放電セルに分けて選択された後、サステイン区間で表示放電を行うようになる。
【０００６】
上記アドレス区間は、アドレス駆動部とスキャン駆動部によりアドレス信号とスキャン信号が表示パネルの放電セルに供給される区間である。このアドレス駆動部と表示パネルは、通常、駆動チップを実装したケーブルまたはフィルム形態のTCP（Tape Carrier Package）を用いて接続される。この駆動チップは、アドレス信号の伝達のための重要な役割をする。特に、その他の駆動信号に比べて相対的に多くの信号伝達を担当していることから、各駆動部に実装される駆動チップのうち最も発熱量の多い駆動チップであり、値段が高価なため、駆動チップの発熱を減らして焼損を防止するための努力がなされている。
【０００７】
このように、駆動チップの発熱を減少するためには低い信号電圧を有する駆動信号を供給する必要があるが、低い信号電圧は、誤放電や低放電の原因となり、プラズマディスプレイ装置の表示品質を低下させるという問題点がある。また、誤放電や低放電の防止のために放電遅延を考慮した駆動信号を供給する場合、表示放電のためのサステイン区間の時間が相対的に短くなり、表示品質を低下させるという問題点がある。このため、駆動チップの発熱を效果的に減少させるとともに、安定的にアドレス放電を行うことができるようにする駆動信号の提供が求められる。
【発明の開示】
【発明が解決しようとする課題】
【０００８】
そこで、本発明の目的は、表示品質の低下なしに安定的に低電圧で高速アドレスを行うことができるプラズマディスプレイ装置及びその駆動方法を提供することである。
【課題を解決するための手段】
【０００９】
上記目的を達成するためになされた本発明によるプラズマディスプレイ装置は、放電セルを備える表示パネルと、上記放電セルにリセット信号、アドレス信号及びスキャン信号を含む駆動信号を供給し、上記リセット信号を作成するスキャン駆動部を備える駆動部と、上記駆動部を制御する論理制御部とを備え、上記スキャン駆動部は、下降ランプパルスとステップパルスを有する下降形パルスを含む上記リセット信号を供給し、上記論理制御部は、上記ステップパルスの生成のためのスイッチ制御信号を上記スキャン駆動部に提供することを特徴とする。
【００１０】
上記リセット信号は、セットアップ期間に印加される上昇ランプパルスと、シャットダウン期間に印加される上記下降形パルスとを含むメインリセット信号であることを特徴とする。
【００１１】
上記リセット信号は、上記スキャン信号の印加後、上記スキャン信号のスキャン電圧から次第に下降する上記下降形パルスを含む補助リセット信号であることを特徴とする。
【００１２】
上記下降ランプパルスは、上記スキャン信号のスキャン電圧から下降ランプパルスが印加されて第１傾きで減少する第１区間と、上記第１区間と連続して、上記ステップパルスが印加されて第２傾きで減少する第２区間とで構成されていることを特徴とする。
【００１３】
上記下降形パルスは、上記第１区間と上記第２区間にて異なる傾きを有することを特徴とする。
【００１４】
上記スキャン駆動部は、上記第１区間の上記下降ランプパルスを供給する第１供給部と、上記第２区間の上記ステップパルスを供給する第２供給部を含むことを特徴とする。
【００１５】
上記第１供給部は、第１電源と上記表示パネルの接続経路を提供する第１スイッチ及び上記下降ランプパルスを生成するように上記第１スイッチを制御する下降ランプパルス供給部を含むことを特徴とする。
【００１６】
上記第２供給部は、第１電源と上記表示パネルの接続経路を提供する第２スイッチ、上記ステップパルスを生成するように、上記第２スイッチのオン/オフを制御するステップパルス供給部を含むことを特徴とする。
【００１７】
上記第１電源は、上記スキャン電圧であることを特徴とする。
【００１８】
また、本発明によるプラズマディスプレイ装置の駆動方法は、リセット期間を有する駆動信号により駆動されるプラズマディスプレイ装置の駆動方法において、第１電圧を供給する第１電圧供給段階と、上記第１電圧から第１傾きで下降する下降ランプパルスを供給する段階と、上記下降ランプパルスの供給中に第２傾きを有するステップパルスを供給する段階とを備えて構成されていることを特徴とする。
【００１９】
上記第１電圧供給段階は、上記第１電圧から、次第に上昇する上昇ランプ波形を印加する段階、上記上昇ランプ波形の尖頭電力で上記第１電圧に復帰する復帰段階をさらに備えることを特徴とする。
【００２０】
上記第１電圧供給段階は、上記駆動信号のうち、表示放電のためのサステイン信号の供給のために上記第１電圧を供給する段階及び上記第１電圧を維持する段階をさらに備えることを特徴とする。
【００２１】
上記ステップパルス供給段階は、上記第２電圧を上記プラズマディスプレイ装置の表示パネルに供給する第２スイッチのオンオフ制御信号を作成する段階をさらに備えることを特徴とする。
【００２２】
上記下降ランプパルス供給段階は、上記第２電圧を上記表示パネルに供給する第１スイッチの制御信号作成段階をさらに備えることを特徴とする。
【００２３】
上記ステップパルス供給段階は、上記オンオフ制御信号のスイッチオン期間またはスイッチオフ期間を可変して、上記第２傾きを可変する傾き可変段階をさらに備える。
【００２４】
上記下降ランプパルスまたは上記ステップパルスの少なくともいずれか一つは、上記駆動信号のうち、スキャン信号のスキャン電圧を供給する第２電圧により生成されることを特徴とする。
【００２５】
上記ステップパルスの最低電圧は、上記第２電圧と同一であるか、または上記第２電圧より大きくなるように可変することを特徴とする。
【００２６】
上記目的の他に本発明の他の特徴及び作用は、添付図面を参照した実施例に対する詳細な説明からより明らかになるであろう。
【００２７】
添付した図面を用いながら以下に開示される詳細な説明は、本発明の好適な実施例を説明するためのものであり、本発明の実行可能な形態だけを示したものではない。本発明の思想や範囲に含まれた同一または等価の機能が、他の実施例によっても達成可能である。
【００２８】
図面は、説明を明確にするために、ある特定の特徴を拡大して示しており、図面及びその構成要素等は必ずしも適正な比率で図示されてはいない。しかし、当業者であればこのような詳細事項を容易に理解することができる。
【発明の効果】
【００２９】
本発明によるプラズマディスプレイ装置及びその駆動方法によれば、ステップパルスを含むリセット波形を採択することにより、表示品質の低下を伴わずに安定的に低電圧で高速アドレスを行うことができる。
【発明を実施するための最良の形態】
【００３０】
以下、添付した図面を参照して本発明の好ましい実施例を詳細に説明する。
【００３１】
図１は、本発明によるプラズマディスプレイ装置を説明するための電極配置及び駆動部の接続を示す図である。
【００３２】
図１は、本発明によるプラズマディスプレイ装置及びその駆動方法を説明する前に、本発明の適用可能なプラズマディスプレイ装置の構成を説明するための図である。同図は、本発明を説明するための例であり、当業者により多様な適用が可能である。同時に、図１に示される表示パネルは、シングルスキャン方式の表示パネルを示し、他の例については後で説明する。しかし、図１に示されるプラズマディスプレイ装置の例に本発明が限定されるわけではない。
【００３３】
図１に示されるように、本発明によるプラズマディスプレイ装置は、論理制御部１１０、アドレス駆動部１２０、スキャン駆動部１３０、サステイン駆動部１４０及び表示パネル１５０を備える。
【００３４】
まず、論理制御部１１０は、画像処理部や外部から転送される画像信号をアドレス駆動部１２０、スキャン駆動部１３０、サステイン駆動部１４０で処理可能な形態のデータに変換する。そして、論理制御部１１０は、各駆動部にデータを伝達すると同時に、制御信号を伝達して各駆動部１２０、１３０、１４０を制御する。特に、論理制御部１１０は、スキャン駆動部１３０から表示パネル１５０に供給される駆動信号のうちリセット区間（RS:Reset Section）の下降ランプパルス（FRP:Falling Ramp Pulse）及びその縦端に連結されたステップパルス（SP:Step Pulse）を有する下降形パルスを印加するようにスキャン駆動部１３０を制御する。このようなステップパルス（SP）について、図２及び図３を参照してより詳しく説明する。
【００３５】
次に、アドレス駆動部１２０は、論理制御部１１０からデータ及び制御信号を受信し、アドレス信号（AP:Address Pulse）を表示パネル１５０のアドレス電極（A:A１〜Am）に供給する。アドレス駆動部１２０からのアドレス信号（AP）により表示放電を行うか、行わない放電セル１６０が選択される。ここで、選択的書き込み方式を使用する場合は、アドレス区間（Address Section:AS）で選択された放電セルが表示放電を行うが、選択的消去方式を使用する場合は、選択されないセルが表示放電を行う。
【００３６】
次に、スキャン駆動部１３０は、論理制御部１１０からデータ及び制御信号を受信し、リセット信号（RP:Reset Pulse）、スキャン信号（SC:Scan Pulse）及びサステイン信号（SUS:Sustain Pulse）を表示パネル１５０のスキャン電極（Y:Y１〜Yn）に供給する。このスキャン駆動部１３０は、リセット期間（RS）に次第に上昇する上昇ランプパルス（RRP:Rising Ramp Pulse）と、次第に下降する下降ランプパルス（FRP:Falling Ramp Pulse）及びその縦端に連結されたステップパルス（SP）を含む下降形パルスを供給する。そして、スキャン駆動部１３０は、アドレス区間（AS）にアドレス信号（AP）に同期してスキャンパルス（SC）を供給する。また、スキャン駆動部１３０は、サステイン区間（SS:Sustain Section）にサステイン信号（SUS_Y:Sustain Pulse）を供給する。特に、スキャン駆動部１３０は、論理制御部１１０による制御により、下降ランプパルス（FRP）及びステップパルス（SP）を含む下降形パルスを表示パネル１５０に供給することで、アドレス放電の安定した実行を保障するとともに、高速アドレスを行うようにする。すなわち、スキャン駆動部１３０から供給されるステップパルス（SP）によって下降ランプパルス（FRP）による放電から発生する可視光の量を減少させるとともに、効率よく壁電荷を消去し得ることにより、アドレス電圧を低くすることで接続部材の発熱を大きく減らすことができるようになる。これについて図２及び図３を参照してより詳しく説明する。
【００３７】
次に、サステイン駆動部１４０は、論理制御部１１０からのデータ及び制御信号により表示パネル１５０にサステイン信号（SUS_Z）を供給する。ここでは、サステイン信号（SUS）がスキャン駆動部１３０とサステイン駆動部１４０から供給されると説明したが、スキャン駆動部１３０からのみ供給されてもよい。そして、スキャン駆動部１３０からのみサステイン信号（SUS）が供給される場合は、サステイン駆動部１４０は、スキャン駆動部１３０と統合された形態で提供されてもよい。これについて後で説明する適用例を参照してより詳しく説明する。
【００３８】
次に、表示パネル１５０は、アドレス駆動部１２０、スキャン駆動部１３０及びサステイン駆動部１４０から供給される駆動信号により画像を表示する。そのために、表示パネル１５０にはアドレス電極（A）、スキャン電極（Y）及びサステイン電極（X）が形成されている。表示パネル１５０の一側にはアドレス駆動部１２０が配置され、接続部材、特に、テープキャリアパッケージによりアドレス駆動部１２０とアドレス電極（A）が接続する。このアドレス電極（A）は、表示パネル１５０のいずれかの方向、例えば垂直方向に形成される。そして、スキャン電極（Y）及びサステイン電極（X）がこのアドレス電極（A）と交差するように表示パネル１５０に形成される。なお、スキャン電極（Y）及びサステイン電極（X）も接続部材によりスキャン駆動部１３０及びサステイン駆動部１４０に接続される。さらに、アドレス電極（A）とスキャン駆動部及びサステイン駆動部１４０の交差部には放電セル１６０が形成される。
【００３９】
図２には、本発明によるプラズマディスプレイ装置の駆動のための駆動信号の一例が示されている。図２の参照によると、表示パネル１５０に供給される駆動信号は、リセット区間（RS）と、アドレス区間（AS）と、サステイン区間（SS）とに分けられる。サブフィールド（SFn）が開始されるリセット区間（RS）のセットアップ区間（SU:Set Up）では、スキャン電極（Y）に上昇ランプ波形（RRP）が印加され、サステイン電極（X）とアドレス電極（A）には低電圧が印加される。
【００４０】
この上昇ランプ波形（RRP）により放電セル１６０内でスキャン電極（Y）と異なる電極（X、A）の間で暗放電（Dark Discharge）が発生する。この暗放電の結果、セットアップ区間（SU）直後にアドレス電極（A）とサステイン電極（X）上に正極性壁電荷が残るようになり、スキャン電極（Y）上には負極性の壁電荷が残るようになる。
【００４１】
セットアップ区間（SU）に次いで、シャットダウン区間（SD）では、先ず下降形パルスのうち下降ランプパルス（FRP）がスキャン電極（Y）に印加される。同時に、サステイン電極（X）には正極性のバイアス電圧（Vb）が印加され、アドレス電極（A）には、低電圧または接地電圧が供給される。この下降ランプ波形（RRP）により放電セル１６０内でスキャン電極（Y）とアドレス電極（X）の間に暗放電が発生し、セットアップ区間（SU）で過度に生成された壁電荷をアドレス放電に必要な量に調整するようになる。これにより、放電セル１６０内の壁電荷の分布は、アドレス放電に最適な条件に変わる。一方、シャットダウン区間（SD）の終端には下降形パルスのうちステップパルス（SP）が印加される。このステップパルス（SP）は、接地電位（GND）より低い電圧区間で開始され、消去電圧（Ve）まで低くなる電圧である。消去電圧（Ve）は、後で述べるスキャン電圧（Vsc）の電位と同一であってもよく、消去電圧（Ve）は可変することができる。このステップパルス（SP）により、スキャン電圧（Vsc）をより低い電位で供給することができるようになり、これによってアドレスパルス（AP）の電位を低くすることができるようになる。従って、低いスキャン電圧（Vsc）の印加による放電遅延なく円滑にアドレス放電を行うことができるようになり、低いアドレス電圧（Va）でも高速駆動が可能になる。なお、ステップパルス（SP）の供給により、リセットパルス（RP）の幅を広くするとともに誤放電を防止し、アドレス放電遂行の安定性を向上させることができる。これについては図３を参照してより詳しく説明する。
【００４２】
アドレス区間（AS）では、負極性のスキャン信号（SC）がスキャン電極（Y）に供給されると同時にスキャン信号（SC）に同期してアドレス信号（AP）が供給され、アドレス信号（AP）及びスキャン信号（SC）により放電セル１６０が選択される。このとき、アドレス信号（AP）の電圧（Va）は、従来のアドレス信号（AP）に比べて低い電圧で供給される。これにより、アドレス駆動部１２０、特にテープキャリアーパッケージの駆動チップが低いアドレス電圧を有するアドレス信号（AP）を処理するようになり、発熱が減少し、安定した駆動を保障することができるようになる。一方、シャットダウン区間（SD）でサステイン電極（X）に供給されるバイアス電圧は、このアドレス区間（AS）でも持続的に供給されてもよい。
【００４３】
サステイン区間（SS）ではスキャン電極（Y）とサステイン電極（X）に正極性サステイン電圧（Vs）のサステインパルス（SUS_Y、X）が相互に印加される。これにより、アドレス区間（AS）で選択された放電セル１６０で表示放電が行われる。
【００４４】
図３は、図２のリセット区間の駆動信号を説明するための図である。
【００４５】
図３を参照すれば、本発明によるプラズマディスプレイ装置とその駆動方法は、従来より低くなったアドレス電圧（Va）とスキャン電圧（Vsc）を提供する。これにより、本発明によるプラズマディスプレイ装置とその駆動方法は、低いアドレス電圧（Va）によっても高速アドレスが可能になる。
【００４６】
より詳細には、シャットダウン区間（SD）から下降ランプ波形（FRP）によるリセットは、スキャン電極に印加される電圧が、図３に示すように、一定の傾きを持って減少する間、壁電荷による壁電荷電圧と下降ランプ波形（FRP）による電圧の差が放電電圧を上回るとき放電が発生する。そして、放電が発生する場合、壁電荷電圧の減少率は、下降ランプ波形（FRP）の減少率とほぼ同様になる。このとき、下降ランプ波形（FRP）と壁電荷電圧の差は、継続して放電が発生し得る電圧差異を保持するようになり、継続的に放電が保持され、アドレス放電に必要な壁電荷を除いてほとんどの壁電荷が除去され、放電セルの環境が初期化される。
【００４７】
ところが、以前のサブフィールドで表示放電を行った放電セルの内部環境と、以前のサブフィールドで表示放電を行わなかった放電セルの内部環境は異なる。この内部環境の相違は、アドレス放電にも影響を及ぼし、放電セルが選択されなかったり、不要な放電セルが選択される等の不具合が発生する。また、放電セル内部の壁電荷分布の放電セル間における不均衡が生じ、アドレス電圧やスキャン信号（SC）のスキャン電圧を高くして供給する必要がでてくる。
【００４８】
この場合、スキャン信号（SC）のみを供給してアドレス放電を行うと、放電遅延が大きくなる。このため、放電遅延を最小化するためにアドレス信号（AP）を同時に印加するようになる。このアドレス信号（AP）とスキャン信号（SC）の間の差異が放電開始電圧（Vf）以上の電圧であるときアドレス放電が行われるので、スキャン信号（SC）の電圧（Vsc）が低くなるほどアドレス信号（AP）の電圧大きさ（Va）を小さくすることができるようになる。すなわち、スキャン信号（SC）の電圧（Vsc）が高くなるほどアドレス信号（AP）を伝達するテープキャリアーパッケージの発熱を最小化できるようになる。
【００４９】
しかし、スキャン信号（SC）の電圧（Vsc）を大きくするほど放電遅延が長くなり、誤放電の発生割合が増大する。このような誤放電を防止するためには、リセット期間（RS）、特に、シャットダウン期間（SD）の幅を広くし、下降ランプ信号（FRP）の低電位電圧（△V）を低くする必要がある。なお、下降ランプ信号（FRP）の傾きを調節して放電セル内の環境をアドレス放電に適合するようにすると同時に、光放出を最小化する必要がある。
【００５０】
そのために、本発明のこの実施例は、下降形パルスの下降ランプパルス（FRP）及びステップパルス（SP）を２区間にわたって異なる傾きを有するように印加する方法を提示する。図３に示すように、シャットダウン期間（SD）は、第１傾き（Ver１）を有する第１区間（R１）と、第２傾き（Ver２）を有する第２区間（R２）とに分けられる。
【００５１】
第１区間（R１）の第１傾き（Ver１）と第２区間（R２）の第２傾き（Ver２）は動作状態によって同一値であってもよく、第２傾き（Ver２）は可変であることができる。例えば、壁電荷の消去量を増加させるために第２傾き（Ver２）を第１傾き（Ver１）より大きくしてもよい。一方、壁電荷の消去量を減少させるためには第２傾き（Ver２）が第１傾き（Ver１）より緩やかな傾きを持つように調整してもよい。これはプラズマディスプレイ装置の固有特性に応じて異なる設定が可能な部分であって、これに本発明が限定されるものではない。
【００５２】
これについてより詳細に説明すれば、セットアップ区間（SU）で過剰生成された壁電荷がシャットダウン区間（SD）で消去される。このとき、第１区間（R１）の所定部分において壁電荷による電圧より下降ランプパルス（FRP）の電位が低くなる地点が形成される。その後、下降ランプパルス（FRP）の電位が低くなり壁電荷による電圧との差異が放電開始電圧を上回る場合、壁電荷の再結合及びエネルギー放出が発生する。そして、放電により壁電荷による電圧は、下降ランプパルス（FRP）とほぼ等しい減少率、つまり、第１傾き（Ver１）と等しい傾きで低くなる。このとき、壁電荷を完全に消去せずに残留させるためには、第２区間（R２）の傾きを緩やかに調整して印加する。この２区間（R２）の印加時点は任意に調整可能であり、第１区間（R１）の下降ランプパルスを供給する電源部の電源供給が終了する時点であってもよい。第２区間（R２）で第２傾き（Ver２）を持つ下降ランプパルス（FRP）が供給される場合、壁電荷電圧の減少傾きより緩やかな傾きの下降ランプパルス（FRP）によって消去放電が中止されるか、減少する。これにより、壁電荷が完全に消去されずに残留するようになり、その後のアドレス区間（AS）のアドレス放電を補助するようになる。
【００５３】
一方、以前のフレームにおける高階調のデータの継続的な表示により放電セル内に残留エネルギーが多い場合、壁電荷の消去率を高くしないと誤放電を防止することができない。この場合、第２傾き（Ver２）を第１傾き（Ver１）より急に調節することで壁電荷の消去率を高くすることができる。
【００５４】
この第２傾き（Ver２）は、ステップパルスの水平幅（W）と垂直幅（H）を調節することで容易に調整することができる。すなわち、下降ランプパルス（FRP）のうち、第２区間（R２）に供給される電源をスイッチングにより供給/遮断することによってステップパルス形態の下降ランプパルス（FRP）を供給することができる。この場合、水平幅（W）は、電源のオフ区間であり、垂直幅（H）はオン区間になる。
【００５５】
これについて図４に示す回路を参照してより詳細に説明する。
【００５６】
図４は、本発明によるスキャン駆動部の駆動回路を示した回路図である。図４は、本発明の説明のために例示的に示したものであり、本発明を限定するものではない。なお、図４を説明する際に、図２及び図３の波形図を参照して説明する。
【００５７】
図４を参照すれば、セットアップ区間（SU）の開始とともにスキャンスイッチ（Ys）、ノードスイッチ（Ypn）及びロースイッチ（SWL）がターンオンし、スキャン電圧（Vs）がパネル（Cp）に供給される。このとき、上昇ランプパルス供給部（RR）の制御により上昇ランプスイッチ（Yrr）がターンオンし、リセットハイ電圧（Vset）をパネル（Cp）に供給する。これにより、パネル（Cp）には次第に上昇する上昇ランプパルス（RRP）が供給される。
【００５８】
その後、シャットダウン期間（SD）の開始と同時に、上昇ランプスイッチ（Yrr）がターンオンし、リセットハイ電圧（Vset）の供給を中止するとともに、スキャンスイッチ（Ys）がターンオンし、スキャン電圧（Vs）の供給が中止される。
【００５９】
そして、下降ランプパルス供給部（FR）により下降ランプスイッチ（Yfr）がターンオンし、リセットロー電圧のスキャン電圧（Vsc）がパネル（Cp）に印加され、次第に下降する下降ランプパルス（FRP）がパネル（Cp）に供給される。このとき、スキャンスイッチ（Ysc）がステップパルス供給部（ST）によりスイッチングされ、第２傾き（Ver２）を有するステップパルスをパネル（Cp）に供給するようになる。ここで、スキャンスイッチ（Ysc）により供給される電源は、別の電源を使用せずにスキャン電圧（Vsc）により実現することができる。
【００６０】
ここで、下降ランプスイッチ（Yfr）とスキャンスイッチ（Ysc）は、一つのスイッチを使用してもステップパルス（SP）の供給が可能であるが、一つのスイッチを使用して実現する場合、駆動波形の供給による負担が増加するので、なるべく図２に示すように各々のスイッチを使用することが好ましい。
【００６１】
図５は、ステップ波形が適用されたサブリセットを有する駆動波形を示した波形図である。図５には、連続する３つのサブフィールドが示されており、メインリセットとサブリセットとが混在している場合の例である。
【００６２】
図５に示すように、本発明によるステップ波形（SP）は、メインリセット（MR）の下降パルス波形の他に、サブリセット（SR１）にも適用可能である。サブリセット（SR１）の場合、サステインパルス（SUS）のうち、最後のサステインパルス（SUS）の印加終了と同時にメインリセット（MR）の下降パルス波形（FRP）と同一形態の信号電圧を印加して放電セルを初期化する。従って、メインリセット（MR）に適用される下降パルス波形（FRP）は、サブリセット（SR１）にも適用可能である。特に、ステップ波形（SP）を含むサブリセット（SR１）は、階調加重値の高いサブフィールド（SFn+１）に選択的に適用されるのが有利である。これは、階調加重値の高いサブフィールド（SFn+１）が進められる場合、メインリセット（MR）の上昇パルス波形（RRP）と同様の過度な壁電荷が生成される可能性がある。これにより、階調加重値の高いサブフィールド（SFn+１）でメインリセット（MR）のセットアップ区間（SU）のような役割をし、階調加重値の高いサブフィールド（SFn+１）では、セットアップ区間（SU）を別に割り当てなくても同じ効果を得ることができる。よって、階調加重値の高いサブフィールド（SFn+１）の表示放電の以降は、メインリセット（MR）ではないサブリセット（SR１）を構成して、メインリセット（MR）と同じ水準で放電セル内部の環境を初期化できる。特に、階調加重値が高いほどメインリセット（MR）のセットアップ期間に比べてより多くの壁電荷が生成されることができるため、消去パルスの役割が増大し、このため階調加重値の高いサブフィールド（SFn+１）ではステップパルス（SP）が印加される下降ランプパルス（FRP）を印加することが好ましい。
【００６３】
なお、すべてのサブリセット（SR）にステップパルス（SP）を有する下降形パルスを印加することもできるが、これよりは図５のように、必要に応じて一部のサブフィールド（SFn、SFn+１）にのみステップパルス（SP）を有する下降形パルスを印加することが好ましい。しかし、これに限定されるものではない。
【００６４】
以上、本発明の好ましい実施形態について詳細に説明したが、本発明の権利範囲はこれに限定されず、請求の範囲で定義している本発明の基本概念を利用した当業者の多様な変形及び改良形態も本発明の権利範囲に属するものである。
【図面の簡単な説明】
【００６５】
【図１】本発明によるプラズマディスプレイ装置を説明するための電極配置及び駆動部の接続を示す図である。
【図２】本発明によるプラズマディスプレイ装置の駆動のための駆動信号の一例を示す図である。
【図３】図２のリセット区間の駆動信号を説明するための図である。
【図４】本発明によるスキャン駆動部の駆動回路を示す回路図である。
【図５】図５はステップ波形が適用されたサブリセットを有する駆動波形を示す波形図である。
【図１】
2009145886.tif 000003
【図２】
2009145886.tif 000004
【図３】
2009145886.tif 000005
【図４】
2009145886.tif 000006
【図５】
2009145886.tif 000007